(57)【要約】【課題】例えば、保護リレー、制御リレー、配電盤等の種々の機器等が収納されているキュービクル等の施設について、雨天時に何らかのトラブルが発生して施設の扉を開けなければならないとき、施設の内部に風雨が入り込むことを防止した、雨水防御装置を提供する。【解決手段】本発明に係る雨水防御装置は、前部が開放されているボックス形状に枠組み形成された枠組体と、該枠組体に取り付けたカバーフィルムとから成り、枠組体の前部開放側を、施設の扉部側を向くように配置して、施設の扉部を枠組体により覆っている。また、枠組体は、前後一対の縦枠部と、前側縦枠部を越えて前方に突出するように後側縦枠部から前側縦枠部に向けて配置した上側枠部と、前後一対の縦枠部の下端部同士を連結する下側枠部とから側枠を形成し、左右一対の側枠を所定の間隔を開けて配置し、両側枠を折り畳み部を介して連結している。【選択図】図６
2008228404.tif 000002
【特許請求の範囲】
【請求項１】
前部が開放されているボックス形状に枠組み形成された枠組体と、該枠組体に取り付けたカバーフィルムとから成り、枠組体の前部開放側を、施設の扉部側を向くように配置して、施設の扉部を枠組体により覆ったことを特徴とする雨水防御装置。
【請求項２】
枠組体は、前後一対の縦枠部と、前側縦枠部を越えて前方に突出するように後側縦枠部から前側縦枠部に向けて配置した上側枠部と、前後一対の縦枠部の下端部同士を連結する下側枠部とから側枠を形成し、左右一対の側枠を所定の間隔を開けて配置し、両側枠を折り畳み部を介して連結している請求項１に記載の雨水防御装置。
【請求項３】
前側縦枠部を後側縦枠部よりも長く形成し、上側枠部を、後側縦枠部から前側縦枠部に向けて、斜め上を向くように配置している請求項１または２に記載の雨水防御装置。
【請求項４】
両側枠の上側枠部の先端部分を、施設の屋根に固定可能である請求項１乃至３のいずれかに記載の雨水防御装置。
【請求項５】
枠組体は、両側枠の間に配置した折り畳み部を介して、折り畳み可能である請求項１乃至４のいずれかに記載の雨水防御装置。
【請求項６】
折り畳み部は、両側枠における上側枠部と後側縦枠部が接合している部分の近傍に、ヒンジ部を介してＶ字状に折り込まれる折込枠を備えている請求項１乃至５のいずれかに記載の雨水防御装置。
【請求項７】
折り畳み部は、基端部をヒンジ部に回動可能に取り付けた一対の突っ掛け枠を備え、両突っ掛け枠の先端部は、両後側縦枠部に固定可能である請求項１乃至６のいずれかに記載の雨水防御装置。
【請求項８】
折り畳み部は、突っ掛け枠の先端部を後側縦枠部から取り外してから、ヒンジ部を介して折込枠をＶ字状に折り込んで、両側枠を互いに密着させるように折り畳むものである請求項１乃至７のいずれかに記載の雨水防御装置。
【請求項９】
折り畳み部は、折込枠を後側縦枠部に沿ってＶ字状に折り込むものである請求項１乃至８のいずれかに記載の雨水防御装置。
【請求項１０】
折り畳み部は、両突っ掛け枠の先端部を両後側縦枠部に固定した際、折込枠の折り込みを阻止して、枠組体のボックス形状を維持している請求項１乃至９のいずれかに記載の雨水防御装置。
【請求項１１】
枠組体を構成する左右一対の側枠において、両上側枠部の前側縦枠部を越えて前方に突出している部分に、補強枠を備えている請求項１乃至１０のいずれかに記載の雨水防御装置。
【請求項１２】
補強枠は、基端部を一方の側枠の上側枠部に回動可能に取り付け、先端部を他方の側枠の上側枠部に固定可能である請求項１乃至１１のいずれかに記載の雨水防御装置。
【請求項１３】
枠組体を構成する左右一対の側枠において、両上側枠部の前側縦枠部を越えて前方に突出している部分に、施設の屋根に固定する滑り止め部材を備えている請求項１乃至１２のいずれかに記載の雨水防御装置。
【請求項１４】
枠組体を構成する左右一対の側枠において、両前側縦枠部の下方に、マグネット部材を備えている請求項１乃至１３のいずれかに記載の雨水防御装置。
【請求項１５】
枠組体を構成する左右一対の側枠において、両上側枠部に、下向きの受部を付設している請求項１乃至１４のいずれかに記載の雨水防御装置。
【請求項１６】
略Ｔ字形に形成されている操作具に設けている左右一対の上向きの突起を、両上側枠部の受部に挿入して、操作具を介して、枠組体を持ち上げ可能である請求項１乃至１５のいずれかに記載の雨水防御装置。
【請求項１７】
略Ｔ字形に形成されている操作具に設けている左右一対の上向きの突起を、両側枠の後側縦枠部の下端部に挿入し、操作具の下端部側を地面に当接させて、枠組体の後方側を操作具により支持可能である請求項１乃至１６のいずれかに記載の雨水防御装置。
【請求項１８】
枠組体に取り付けたカバーフィルムの下縁部に、下側のカバーフィルムを取り付け可能である請求項１乃至１７のいずれかに記載の雨水防御装置。
【請求項１９】
前後一対の縦枠部と、前側縦枠部を越えて前方に突出するように後側縦枠部から前側縦枠部に向けて配置した上側枠部と、前後一対の縦枠部の下端部同士を連結する下側枠部とから側枠を形成し、左右一対の側枠を所定の間隔を開けて配置し、両側枠を折り畳み部を介して連結して、前部が開放されているボックス形状に枠組み形成された枠組体と、枠組体に取り付けたカバーフィルムとから成ることを特徴とする雨水防御装置。
【請求項２０】
前側縦枠部を後側縦枠部よりも長く形成し、上側枠部を、後側縦枠部から前側縦枠部に向けて、斜め上を向くように配置している請求項１９に記載の雨水防御装置。
【発明の詳細な説明】
【技術分野】
【０００１】
本発明は、例えば、保護リレー、制御リレー、配電盤等の種々の機器等が収納されているキュービクル等の施設について、雨天時に何らかのトラブルが発生して施設の扉を開けなければならないとき、施設の内部に風雨が入り込むことを防止した、雨水防御装置に関するものである。
【背景技術】
【０００２】
従来より、変電所等の屋外に設置されているキュービクル等の施設には、例えば、保護リレー、制御リレー、配電盤等の種々の機器が収納されている。
【０００３】
そして、このような施設内の機器に何らかのトラブルが発生したとき、施設の扉を開放して、必要な措置を施す必要がある。
【０００４】
この際、晴天時には問題は無いが、雨天時には、開放した扉から雨水が施設内に入り込んで、施設内の機器が濡れてしまい、設備に様々な不具合を起こしてしまう要因となっていた。
【０００５】
特に、雨天時には風を伴うことも多いため、開放した扉に横向きの風や上向きの風等が吹き付けて、予測できないような様々な方向から施設内に雨水が入り込んでいたのである。
【０００６】
このような状況において、雨天時に開放した扉から雨水が施設内に入り込んでしまう事態を阻止するには、施設の上部を大き目のシート等で覆う等の養生措置を施す必要がある。
【０００７】
また、従来においては、例えば、特許文献１に開示されているように、屋外盤の天板上面に取り付けた固定台に、大型傘の柄部を直立状に固定し、大型傘の周縁部に、下縁に複数個の重錘を取り付けてなるビニールシートを垂下させ、大型傘の周縁部の数個所を係留紐によって屋外盤の側壁に係留してなる雨雪防護具なる技術が存在する。
【特許文献１】特開平８−１６７３４１号公報
【発明の開示】
【発明が解決しようとする課題】
【０００８】
しかしながら、施設の上部を大き目のシート等で覆う従来の養生措置は、当該シートが大きく、施設も所定の高さと大きさを備えているため、例えば、シートの端部を施設の天井部分に取り付けるのにも多くの労力を要していた。
【０００９】
そのため、従来の養生措置は、そもそも作業員が一人で作業するのに適しておらず、養生措置を行う度に複数の作業員を召集しなければならなかった。
【００１０】
また、仮に一人の作業員で養生措置を行うときには、その作業に多くの時間を費やさざるを得なかった。
【００１１】
さらに、キュービクル等の施設内の機器にトラブルが発生したときには、当該機器の確認に迅速性が特に要求されるため、作業員の召集時間やシートの養生時間を、可能な限り短縮する必要があるが、シートの養生現場においては、多くの時間を費やしているのが実情であった。
【００１２】
また、施設内の機器にトラブルが複数発生して、シートの養生箇所を多く必要とする場合には、シートによる養生作業が一層困難になっている。
【００１３】
加えて、離れた場所に設置されている複数の施設にシートを取り付けて養生しなければならないときには、養生作業がさらに困難になっている。
【００１４】
この他、特許文献１による雨雪防護具の場合、固定台に対し大型傘の柄部を確実に固定しないと、大型傘自体が風雨で煽られて飛散してしまう可能性がある。
【００１５】
特に、固定台へ据え付けられる大型傘自体がかなり大幅のものであるため、雨風の激しい状況における据え付け作業が非常に面倒なものとなっていた。
【００１６】
しかも、脚立や梯子を使用した作業となり、上部から転落事故を引き起こす要因ともなると同時に、作業中に大型傘の柄部等が高圧充電部等に接触して、停電事故を引き起こす可能性があるという諸々の問題点を有していた。
【００１７】
そこで、本発明は如上のような従来存した諸事情に鑑み創出されたもので、変電所等に設置されているキュービクル等の施設について、雨天時に何らかのトラブルが発生したときに、作業員が一人で枠組体を運搬して施設の近くで簡単に組み立て、枠組体を施設に容易に取り付けることにより、所定の復旧作業のために施設の扉を開けた場合であっても、施設の内部に風雨が入り込んでしまう事態を阻止した、雨水防御装置を提供することを目的とする。
【課題を解決するための手段】
【００１８】
本発明に係る雨水防御装置は、前部が開放されているボックス形状に枠組み形成された枠組体と、該枠組体に取り付けたカバーフィルムとから成り、枠組体の前部開放側を、施設の扉部側を向くように配置して、施設の扉部を枠組体により覆ったことで、上述した課題を解決した。
【００１９】
また、枠組体は、前後一対の縦枠部と、前側縦枠部を越えて前方に突出するように後側縦枠部から前側縦枠部に向けて配置した上側枠部と、前後一対の縦枠部の下端部同士を連結する下側枠部とから側枠を形成し、左右一対の側枠を所定の間隔を開けて配置し、両側枠を折り畳み部を介して連結していることで、同じく上述した課題を解決した。
【００２０】
さらに、前側縦枠部を後側縦枠部よりも長く形成し、上側枠部を、後側縦枠部から前側縦枠部に向けて、斜め上を向くように配置していることで、同じく上述した課題を解決した。
【００２１】
また、両側枠の上側枠部の先端部分を、施設の屋根に固定可能であることで、同じく上述した課題を解決した。
【００２２】
加えて、枠組体は、両側枠の間に配置した折り畳み部を介して、折り畳み可能であることで、同じく上述した課題を解決した。
【００２３】
また、折り畳み部は、両側枠における上側枠部と後側縦枠部が接合している部分の近傍に、ヒンジ部を介してＶ字状に折り込まれる折込枠を備えていることで、同じく上述した課題を解決した。
【００２４】
この他、折り畳み部は、基端部をヒンジ部に回動可能に取り付けた一対の突っ掛け枠を備え、両突っ掛け枠の先端部は、両後側縦枠部に固定可能であることで、同じく上述した課題を解決した。
【００２５】
また、折り畳み部は、突っ掛け枠の先端部を後側縦枠部から取り外してから、ヒンジ部を介して折込枠をＶ字状に折り込んで、両側枠を互いに密着させるように折り畳むものであることで、同じく上述した課題を解決した。
【００２６】
さらに、折り畳み部は、折込枠を後側縦枠部に沿ってＶ字状に折り込むものであることで、同じく上述した課題を解決した。
【００２７】
また、折り畳み部は、両突っ掛け枠の先端部を両後側縦枠部に固定した際、折込枠の折り込みを阻止して、枠組体のボックス形状を維持していることで、同じく上述した課題を解決した。
【００２８】
加えて、枠組体を構成する左右一対の側枠において、両上側枠部の前側縦枠部を越えて前方に突出している部分に、補強枠を備えていることで、同じく上述した課題を解決した。
【００２９】
また、補強枠は、基端部を一方の側枠の上側枠部に回動可能に取り付け、先端部を他方の側枠の上側枠部に固定可能であることで、同じく上述した課題を解決した。
【００３０】
この他、枠組体を構成する左右一対の側枠において、両上側枠部の前側縦枠部を越えて前方に突出している部分に、施設の屋根に固定する滑り止め部材を備えていることで、同じく上述した課題を解決した。
【００３１】
また、枠組体を構成する左右一対の側枠において、両前側縦枠部の下方に、マグネット部材を備えていることで、同じく上述した課題を解決した。
【００３２】
さらに、枠組体を構成する左右一対の側枠において、両上側枠部に、下向きの受部を付設していることで、同じく上述した課題を解決した。
【００３３】
また、略Ｔ字形に形成されている操作具に設けている左右一対の上向きの突起を、両上側枠部の受部に挿入して、操作具を介して、枠組体を持ち上げ可能であることで、同じく上述した課題を解決した。
【００３４】
加えて、略Ｔ字形に形成されている操作具に設けている左右一対の上向きの突起を、両側枠の後側縦枠部の下端部に挿入し、操作具の下端部側を地面に当接させて、枠組体の後方側を操作具により支持可能であることで、同じく上述した課題を解決した。
【００３５】
また、枠組体に取り付けたカバーフィルムの下縁部に、下側のカバーフィルムを取り付け可能であることで、同じく上述した課題を解決した。
【００３６】
この他、本発明に係る雨水防御装置は、前後一対の縦枠部と、前側縦枠部を越えて前方に突出するように後側縦枠部から前側縦枠部に向けて配置した上側枠部と、前後一対の縦枠部の下端部同士を連結する下側枠部とから側枠を形成し、左右一対の側枠を所定の間隔を開けて配置し、両側枠を折り畳み部を介して連結して、前部が開放されているボックス形状に枠組み形成された枠組体と、枠組体に取り付けたカバーフィルムとから成ることで、同じく上述した課題を解決した。
【００３７】
また、前側縦枠部を後側縦枠部よりも長く形成し、上側枠部を、後側縦枠部から前側縦枠部に向けて、斜め上を向くように配置していることで、同じく上述した課題を解決した。
【発明の効果】
【００３８】
本発明に係る雨水防御装置は、前部が開放されているボックス形状に枠組み形成された枠組体と、該枠組体に取り付けたカバーフィルムとから成ることから、枠組体の前部開放側を、施設の扉部側を向くように配置して、施設の扉部を枠組体により簡単に覆うことができる。
【００３９】
そのため、雨天時において、キュービクル等の施設内の機器に何らかのトラブルが発生したときには、施設の扉部を枠組体により簡単に覆って、雨水が入り込まない状態を確保してから、施設の扉を開放して必要な回復措置を迅速に行うことができる。
【００４０】
即ち、本発明に係る雨水防御装置によれば、作業員が一人で種々の作業を行うことが可能となり、複数の作業員を召集する必要が無くなった。
【００４１】
さらに、キュービクル等の施設内の機器にトラブルが発生したときには、当該機器の確認に迅速性が特に要求されることとなるが、作業員が一人で施設の扉部を枠組体により覆って、雨水が入り込まない状態を迅速に確保できることから、当該機器の確認も容易なものとなる。
【００４２】
また、キュービクル等の施設内の機器にトラブルが複数発生して、養生箇所が２箇所以上になった場合であっても、作業員が一人で施設の扉部を枠組体により個別に覆って、雨水が入り込まない状態を迅速に確保できる。
【００４３】
この様に、本発明によれば、カバーフィルムを備えた枠組体を、雨天時に作業員が一人で運搬し、簡単に組み立てて施設に容易に取り付けることができることから、作業員が一人であっても、現地におけるトラブル処置の迅速な対応が可能な作業環境を容易に構築することができる。
【００４４】
また、休祭日や、平日の深夜等のように対応要員が非常に少ない時間帯であっても、施設のトラブル対応が容易に実施できるのである。
【００４５】
加えて、枠組体は、前後一対の縦枠部と、前側縦枠部を越えて前方に突出するように後側縦枠部から前側縦枠部に向けて配置した上側枠部と、前後一対の縦枠部の下端部同士を連結する下側枠部とから側枠を形成し、左右一対の側枠を所定の間隔を開けて配置し、両側枠を折り畳み部を介して連結していることから、枠組体の折り畳みと、使用状態への枠組体の展開を容易に行うことができる。
【００４６】
また、前側縦枠部を後側縦枠部よりも長く形成し、上側枠部を、後側縦枠部から前側縦枠部に向けて、斜め上を向くように配置していることから、両側枠の上側枠部の先端部分を、施設の屋根に固定したときには、枠組体の自重により、枠組体の下方側が施設の扉部に強く押し付けられた状態となり、施設の扉部に枠組体を確実に固定することができる。
【００４７】
この他、枠組体は、両側枠の間に折り畳み部を配置していることから、この折り畳み部を介して、枠組体を簡単に折り畳むことができる。
【００４８】
また、折り畳み部は、両側枠における上側枠部と後側縦枠部が接合している部分の近傍に、折込枠を備えていることから、この折込枠をＶ字状に折り込んで、枠組体を簡単に折り畳むことができる。
【００４９】
さらに、折り畳み部は、基端部をヒンジ部に回動可能に取り付けた一対の突っ掛け枠を備え、両突っ掛け枠の先端部は、両後側縦枠部に固定可能であることから、両突っ掛け枠の先端部を両後側縦枠部に固定した際には、折込枠の折り込みを阻止して、枠組体のボックス形状を堅牢に維持することができる。
【００５０】
また、折り畳み部は、突っ掛け枠の先端部を後側縦枠部から取り外してから、ヒンジ部を介して折込枠をＶ字状に折り込むことで、両側枠を互いに密着させるように折り畳むことができる。
【００５１】
そのため、枠組体をコンパクトに折り畳んで、枠組体の持ち運びが容易となる。
【００５２】
加えて、折り畳み部は、折込枠を後側縦枠部に沿ってＶ字状に折り込むことから、折込枠が両側枠の外側に突出することがなく、枠組体をコンパクトに折り畳むことができる。
【００５３】
また、枠組体を構成する左右一対の側枠において、両上側枠部の前側縦枠部を越えて前方に突出している部分に、補強枠を備えていることから、枠組体のボックス形状を堅牢に維持することができる。
【００５４】
この他、補強枠は、基端部を一方の側枠の上側枠部に回動可能に取り付けていることから、補強枠を回動させて、補強枠の先端部を他方の側枠の上側枠部に固定するという簡単な操作により、枠組体のボックス形状を堅牢に維持することができる。
【００５５】
また、枠組体を構成する左右一対の側枠において、両上側枠部の前側縦枠部を越えて前方に突出している部分に、滑り止め部材を備えていることから、両上側枠部の前方に突出している部分を、施設の屋根に確実に固定することができる。
【００５６】
さらに、枠組体を構成する左右一対の側枠において、両前側縦枠部の下方に、マグネット部材を備えていることから、枠組体の下方側を施設の扉部に吸着させて、施設に枠組体を確実に固定することができる。
【００５７】
そして、前側縦枠部を後側縦枠部よりも長く形成し、上側枠部を、後側縦枠部から前側縦枠部に向けて、斜め上を向くように配置していることから、両側枠の上側枠部の先端部分を、施設の屋根に固定したときには、枠組体の自重により、枠組体の下方側が施設の扉部に強く押し付けられた状態となる。
【００５８】
この押し付け状態に加えて、両前側縦枠部の下方のマグネット部材を施設の扉部に吸着させて、施設に枠組体をより確実に固定できるのである。
【００５９】
そのため、枠組体が、風雨の煽りでもって飛ばされるよう事態の発生を確実に阻止することができる。
【００６０】
また、略Ｔ字形に形成されている操作具に設けている左右一対の上向きの突起を、両側枠の後側縦枠部の下端部に挿入できることから、操作具の上向きの突起を後側縦枠部の下端部に挿入し、操作具の下端部側を地面に当接させて、枠組体の後方側を操作具により安定した状態で支持することができる。
【００６１】
そのため、施設への枠組体の固定状態をより堅牢に維持することができる。
【００６２】
加えて、枠組体に取り付けたカバーフィルムの下縁部に、下側のカバーフィルムを取り付け可能であることから、枠組体の下方側から、枠組体の中に雨水が入り込むことを確実に防止することができる。
【００６３】
この様に、本発明に係る雨水防御装置によれば、キュービクル等の施設への枠組体の取り付け作業、取り外し作業を一人の作業員で簡単に行うことができる。
【００６４】
そのため、従来においては、キュービクル等の施設内の機器に何らかのトラブルが発生して、施設の扉を開放して必要な回復措置を行うのに、作業員が少なくとも四人必要であったのに対し、本発明により、当直者一人による対応が可能となった。
【００６５】
また、従来においては、作業員の緊急呼び出し時間を含めて、全体の対応所要時間として約１８０分を費やしていたのに対し、本発明により、全体の対応所要時間を約２０分に短縮することができた。
【００６６】
この他、本発明に係る雨水防御装置は、前後一対の縦枠部と、前側縦枠部を越えて前方に突出するように後側縦枠部から前側縦枠部に向けて配置した上側枠部と、前後一対の縦枠部の下端部同士を連結する下側枠部とから側枠を形成し、左右一対の側枠を所定の間隔を開けて配置し、両側枠を折り畳み部を介して連結して、前部が開放されているボックス形状に枠組み形成された枠組体と、枠組体に取り付けたカバーフィルムとから成ることから、この雨水防御装置を、様々な建造物や、種々の交通機関にも適用することができる。
【００６７】
例えば、トラック等が備えている荷台に枠組体を取り付けたときには、雨天時であっても、荷物を濡らすことなく、一人で荷物の積み卸し作業や運搬作業を行うことができる。
【００６８】
また、前側縦枠部を後側縦枠部よりも長く形成し、上側枠部を、後側縦枠部から前側縦枠部に向けて、斜め上を向くように配置していることから、両側枠の上側枠部の先端部分を所定の部材に固定して、枠組体を簡単に取り付けることができる。
【００６９】
そのため、雨天時における屋外の店先等に枠組体を取り付けたときには、商品を濡らすことなく、販売活動等を行うことができる。
【発明を実施するための最良の形態】
【００７０】
以下に、本発明を実施するための最良の形態を、図面を参照して説明する。
【００７１】
本発明に係る雨水防御装置は、図１に示すように、前部が開放されているボックス形状に枠組み形成された枠組体1と、該枠組体１に取り付けたカバーフィルムＦとから構成されている。
【００７２】
そして、図６に示すように、枠組体１の前部開放側（カバーフィルムＦが張設されていない部分）を、キュービクル等の施設の扉部Ｐ側を向くように配置して、施設の扉部Ｐを枠組体１により覆うものである。
【００７３】
すなわち、枠組体１は、図１・図２に示すように、左右一対の側枠Ａ，Ｂにより構成されている。
【００７４】
この側枠Ａ，Ｂは、図１乃至図３に示すように、互いに直立となって配された前後一対の縦枠部２ａ，２ｂを備えている。この前側縦枠部２ａは、後側縦枠部２ｂよりも長く形成されている。
【００７５】
そして、図３に示すように、上側枠部３を、後側縦枠部２ｂから前側縦枠部２ａに向けて、斜め上を向くように配置している。このとき、上側枠部３の先端部は、前側縦枠部２ａを越えて前方に突出している。
【００７６】
具体的には、図１・図３に示すように、後側縦枠部２ｂの上端部に、上側枠部３の基端部が溶接により固定されている。
【００７７】
また、後側縦枠部２ｂの下端部には、下側枠部４の一端が、溶接により固定されている。この下側枠部４は、前側縦枠部２ａの下端部を向くようにして、後側縦枠部２ａの下端部に固定されている。
【００７８】
さらに、図１・図３に示すように、上側枠部３の前部寄りには、中央に孔部１４を有する突片部が下向きに形成され、該突片部の孔部１４に、前記前側縦枠部２ａの上端部に形成された接合片の孔部を嵌合させ、ボルト・ナット部材により固定している。
【００７９】
一方、図３に示すように、下側枠部４の前端部には、中央に孔部１４を有する突片部が上向きに形成され、該突片部の孔部１４に、前記前側縦枠部２ａの下端部に形成された接合片の孔部を嵌合させ、ボルト・ナット部材により固定している。
【００８０】
このように、後側縦枠部２ｂと、後側縦枠部２ｂよりも長く形成している前側縦枠部２ａと、後側縦枠部２ｂから前側縦枠部２ａに向けて、斜め上を向くように配置している上側枠部３と、前側縦枠部２ａと後側縦枠部２ｂの下端部の間に配置している下側枠部４により、それぞれ側枠Ａ，Ｂが形成されている。
【００８１】
そして、図２に示すように、枠組体１を構成する左右一対の側枠Ａ，Ｂを所定の間隔を開けて配置し、両側枠Ａ，Ｂを、後側縦枠部２ｂ側に配置した折り畳み部５を介して連結している。
【００８２】
また、枠組体１を構成する左右一対の側枠Ａ，Ｂにおいて、両上側枠部３の前側縦枠部２ａを越えて前方に突出している部分に、補強枠２１を備えている。
【００８３】
そして、枠組体１によって形成されている左右側面、上面、背面のそれぞれを、厚さが約０．１５ｍｍ程度の透明なカバーフィルムＦで被覆している。
【００８４】
さらに、図１・図８に示すように、枠組体１を構成する左右一対の側枠Ａ，Ｂにおいて、両上側枠部３の前側縦枠部２ａを越えて前方に突出している部分の全体も、カバーフィルムＦで被覆している。
【００８５】
こうして、図１に示すように、前側及び下側が開放されたボックス形状の枠組体１が形成される。
【００８６】
折り畳み部５は、図１・図２に示すように、両側枠Ａ，Ｂにおける上側枠部３と後側縦枠部２ｂが接合している部分の近傍に、ヒンジ部７を介してＶ字状に折り込まれる折込枠６を備えている。
【００８７】
この折込枠６は、左右一対の折込棒６ａ，６ｂの基端部のそれぞれが、両後側縦枠部２ｂの上端部に、回動可能に取り付けられている。また、折込棒６ａ，６ｂの先端部のそれぞれは、長方形状のヒンジ部７の両端部に、回動可能に取り付けられている。
【００８８】
そして、折込枠６は、後側縦枠部２ｂに沿ってＶ字状に折り込むものである。
【００８９】
また、折り畳み部５は、図２に示すように、基端部をヒンジ部７に回動可能に取り付けた一対の突っ掛け枠８を備えている。この両突っ掛け枠８の先端部は、両後側縦枠部２ｂに固定可能に形成されている。
【００９０】
具体的には、後側縦枠部２ｂの略中間位置に設けられたフック部９に、突っ掛け枠８の先端部を接合させて固定するのである。
【００９１】
そして、折り畳み部５は、両突っ掛け枠８の先端部を両後側縦枠部２ｂに固定した際、突っ掛け枠８が斜行状になって折込枠６の下方に配置されることとなり、ヒンジ部７の移動と折込枠６の折り込みを阻止して、枠組体１のボックス形状を維持するものである。
【００９２】
また、両上側枠部３の前側縦枠部２ａを越えて前方に突出している部分の間に、補強枠２１を固定した際には、枠組体１のボックス形状を堅牢に維持することができる。
【００９３】
この補強枠２１は、基端部を一方の側枠Ａの上側枠部３に回動可能に取り付け、先端部を他方の側枠Ｂの上側枠部３に固定可能となっている。
【００９４】
一方、図１２に示すボックス形状を維持している枠組体１を折り畳む場合には、まず、図１３に示すように、後側縦枠部２ｂのフック部９から、突っ掛け枠８の先端部を取り外す。そして、ヒンジ部７を下方に移動させて、折込枠６を後側縦枠部２ｂに沿ってＶ字状に折り込むのである。
【００９５】
同時に、補強枠２１の先端部を側枠Ｂの上側枠部３から外し、側枠Ａの上側枠部３に沿うように移動させる。
【００９６】
このようにして、図１４に示すように、両側枠を互いに密着させるようにして折り畳むのである。
【００９７】
尚、枠組体１をボックス形状に展開した状態では、この横幅員がキュービクル等の施設の扉部Ｐの横幅員よりも大きく開いた状態となるように、折込枠６、補強枠２１のそれぞれの長さを任意に設定している。
【００９８】
この他、枠組体１は、両側枠の上側枠部３の先端部分を、キュービクル等の施設の屋根に固定可能である。即ち、キュービクル等の施設の扉部Ｐを枠組体１により覆った状態で、施設に固定されるのである。
【００９９】
具体的には、図１・図３に示すように、枠組体１を構成する左右一対の側枠Ａ，Ｂにおいて、両上側枠部３の前側縦枠部２ａを越えて前方に突出している部分に、キュービクル等の施設の屋根に固定する滑り止め部材Ｋを備えている。
【０１００】
左右に配置されている上側枠部３のそれぞれの前端から、下方に向けて短めの枠材１７が延設され、該枠材１７の下端に、支軸部１０を介して前後方向に回動可能に取り付けた矩形板状の脚部１１が設けられている。この脚部１１の下面に、特殊なパッキン部材等からなる滑り止め部材Ｋが付設されているのである。
【０１０１】
左右に配置されている上側枠部３のそれぞれの前端から、前方に向けて所定の幅を備えている板材２２が延設され、該板材２２の前端部における下方に、支軸部１０を介して前後方向に回動可能に取り付けた矩形板状の脚部１１が設けられている。この脚部１１の下面に、特殊なパッキン部材等からなる滑り止め部材Ｋが付設されているのである。
【０１０２】
また、枠組体１を構成する左右一対の側枠Ａ，Ｂにおいて、両前側縦枠部２ａの下方に、マグネット部材Ｍを備えている。
【０１０３】
具体的には、図１・図３に示すように、左右に配置されている下側枠部４のそれぞれの前端から前方に向けて、支軸部１２を介して上下方向に回動可能に取り付けた矩形板状のアーム部１３が設けられている。このアーム部１３の外端面に、マグネット部材Ｍが付設されているのである。
【０１０４】
また、枠組体１を構成する左右一対の側枠Ａ，Ｂにおいて、両上側枠部３に、下向きの受部１５を付設している。
【０１０５】
受部１５は、図１に示すように、円筒のキャップ状に形成され、それぞれの上側枠部３の略中央に付設されている。この受部１５は、枠組体１の重心位置に存在するものである。
【０１０６】
そして、所定の操作具２０を使用して、枠組体１の全体を持ち上げ可能としている。
【０１０７】
この操作具２０は、図４に示すように、両端に上向きの突起１６を有する枠材１７の中央に蝶ネジ固定式の筒部１８を設け、該筒部１８に長尺な操作用棒材１９を挿入して形成されている。
【０１０８】
そして、図５に示すように、全体として略Ｔ字形に形成されている操作具２０の枠材１７両端の突起１６を下方から受部１５に挿入し、操作用棒材１９を両手で掴んで持ち上げ、枠組体１を上方に移動させるのである。
【０１０９】
また、図６に示すように、支軸部１０の下方に取り付けた脚部１１の滑り止め部材Ｋを、キュービクル等の施設の屋根に当接させ、枠組体１を施設に引っ掛けるようにして固定する。
【０１１０】
そして、枠組体１の両前側縦枠部２ａの下方に設けられているマグネット部材Ｍを、開けようとしている扉部Ｐの、両隣に位置している扉部Ｐのそれぞれに吸着させる。
【０１１１】
このとき、図７に示すように、全体として略Ｔ字形に形成されている操作具２０に設けている左右一対の上向きの突起１６を、両側枠Ａ，Ｂの後側縦枠部２ｂの下端部に挿入し、操作具２０の操作用棒材１９の下端部側を地面に当接させて、枠組体１の後方側を操作具２０により安定した状態に支持可能としている。
【０１１２】
また、操作具２０は、筒部１８に挿入する操作用棒材１９の長さを調整して蝶ネジで固定することにより、その高さを任意に調節することができる。
【０１１３】
こうして、枠組体１は、図６・図７・図８に示すように、キュービクル等の施設に存在する特定の扉部Ｐの前面を覆うようにして取り付けられるのである。
【０１１４】
この他、図９・図１０に示すように、枠組体１に取り付けたカバーフィルムＦの下縁部には、所定の接続手段Ｒを介して、略コ字形の下側のカバーフィルムＦ１を取り付け可能である。
【０１１５】
この接続手段Ｒは、例えば、等間隔に付設された、雄雌の面ファスナーにより形成されている。
【０１１６】
そして、キュービクル等の施設に取り付けられている枠組体１のカバーフィルムＦの下縁部に、下側のカバーフィルムＦ１を取り付けた際には、枠組体１の下方側から、枠組体１の中に雨水が入り込むことを確実に防止している。
【０１１７】
尚、図7・図８・図１１に示す枠組体１は、両側枠Ａ，Ｂの後側縦枠部２ｂの下端部に操作具２０を取り付け、操作用棒材１９の下端部側を地面に当接させて、枠組体１の後方側を操作具２０により安定した状態に支持しているが、風雨が少ないときには、操作具２０を取り付ける必要は無い。
【０１１８】
この他、本発明に係る雨水防御装置は、図１５（ａ）に示すように、折り畳まれた枠組体１と、下側のカバーフィルムＦ１、操作具２０のそれぞれがワンセットとなる。
【０１１９】
この雨水防御装置を持ち運ぶときには、図１５（ｂ）に示すように、肩掛け用のショルダーバッグＳに枠組体１、下側のカバーフィルムＦ１、操作具２０を入れることで、作業員が一人で容易に持ち運びできるようにしている。
【０１２０】
次に、以上のように構成された本発明の最良の形態について、組立、使用、動作の一例を説明する。
【０１２１】
変電所等に設置されているキュービクル等の施設について、雨天時に何らかのトラブルが発生したときには、図１５（ｂ）に示すように、枠組体１、下側のカバーフィルムＦ１、操作具２０が入っているショルダーバッグＳを作業員が肩にかけ、トラブルが発生している施設の近くまで運んでいく。
【０１２２】
トラブルが発生しているキュービクル等の施設の近くに作業員が到着したときには、ショルダーバッグＳを降ろし、図１５（ａ）に示すように、ショルダーバッグＳの中から折り畳まれている枠組体１、下側のカバーフィルムＦ１、操作具２０のそれぞれを取り出す。
【０１２３】
そして、図１に示すように、枠組体１をボックス形状に展開し、折り畳み部５の両突っ掛け枠８の先端部を両後側縦枠部２ｂのフック部９に固定すると共に、補強枠２１の先端部を側枠Ｂの上側枠部３に固定することで、枠組体１のボックス形状を堅牢に維持させる。
【０１２４】
次に、図４に示すように、操作具２０の枠材１７中央の筒部１８に長尺な操作用棒材１９を挿入して蝶ネジで固定してから、図５に示すように、この操作具２０の枠材１７両端の突起１６を、枠組体１の下方から左右の上側枠部３のそれぞれの受部１５に挿入し、操作用棒材１９を両手で掴んで持ち上げる。
【０１２５】
この状態で、図６に示すように、枠組体１の支軸部１０の下方に取り付けた脚部１１の滑り止め部材Ｋを、キュービクル等の施設の屋根に当接させ、枠組体１を施設に引っ掛けるようにして固定する。
【０１２６】
このとき、枠組体１の両前側縦枠部２ａの下方に設けられているマグネット部材Ｍを、開けようとしている扉部Ｐの、両隣に位置している扉部Ｐのそれぞれに吸着させる。
【０１２７】
また、必要に応じて、図７・図８に示すように、枠組体１の両側枠Ａ，Ｂの後側縦枠部２ｂの下端部に操作具２０を取り付け、操作用棒材１９の下端部側を地面に当接させて、枠組体１の後方側を操作具２０により安定した状態で支持させる。
【０１２８】
次に、図１０・図１１に示すように、枠組体１に取り付けられているカバーフィルムＦの下縁部に付設された、例えば、雄雌面ファスナー等の接続手段Ｒを介して、略コ字形の下側のカバーフィルムＦ１を取り付ける。
【０１２９】
このようにして、本発明に係る雨水防御装置が、開けようとしているキュービクル等の施設の扉部Ｐの前面を覆うようにして取り付けられ、これにより風雨を避けながら、トラブルが生じている施設について、扉部Ｐを開けて所定の復旧作業を行うのである。
【０１３０】
復旧作業の終了後は、枠組体１を操作具２０を用いて再度持ち上げて、地面等に降ろす。
【０１３１】
そして、図１３に示すように、後側縦枠部２ｂのフック部９から、突っ掛け枠８の先端部を取り外し、ヒンジ部７を下方に移動させて、折込枠６を後側縦枠部２ｂに沿ってＶ字状に折り込んでいく。
【０１３２】
これと同時に、補強枠２１の先端部を側枠Ｂの上側枠部３から外し、側枠Ａの上側枠部３に沿うように移動させ、図１４に示すように、両側枠を互いに密着させるようにして折り畳むのである。
【０１３３】
最後に、図１５（ａ）（ｂ）に示すように、折り畳まれた枠組体１、下側のカバーフィルムＦ１、操作具２０のそれぞれをワンセットとして、肩掛け用のショルダーバッグＳに収容し、所定の場所に持ち運んで保管するものである。
【産業上の利用可能性】
【０１３４】
本発明に係る雨水防御装置は、キュービクル等の施設内へ雨水が入り込むのを防止するために、施設の扉部を開放する前の保護対策として、様々な構成の施設について利用できることは勿論のこと、キュービクル等の施設に類似した建造物や、種々の交通機関、また、屋外の店先等にも幅広く利用することができる。
【図面の簡単な説明】
【０１３５】
【図１】カバーフィルムを取り付けている枠組体を、ボックス状に展開している状態を示す斜視図である。
【図２】枠組体をボックス状に展開している状態を示す正面図である。
【図３】枠組体をボックス状に展開している状態を示す側面図である。
【図４】操作具の構成を示す分解斜視図である。
【図５】操作具を用いて枠組体を持ち上げている状態を示す斜視図である。
【図６】カバーフィルムを取り付けている枠組体を、キュービクル等の施設に設置した状態を示す斜視図である。
【図７】カバーフィルムを取り付けている枠組体を、キュービクル等の施設に設置し、枠組体の後部を操作具により支持している状態を示す斜視図である。
【図８】カバーフィルムを取り付けている枠組体を、キュービクル等の施設に設置し、枠組体の後部を操作具により支持している状態を示す側面図である。
【図９】枠組体に配されているカバーフィルムに、下側のカバーフィルムを取り付ける状態を示す分解斜視図である。
【図１０】枠組体に配されているカバーフィルムに、下側のカバーフィルムを取り付けた状態を示す斜視図である。
【図１１】カバーフィルムを取り付けている枠組体を、キュービクル等の施設に設置し、枠組体の後部を操作具により支持すると共に、下側のカバーフィルムを取り付けた状態を示す斜視図である。
【図１２】折り畳む前のボックス形状を維持している枠組体の状態を示す斜視図である。
【図１３】枠組体を折り畳んでいる状態を示す斜視図である。
【図１４】折り畳んだ枠組体の状態を示す斜視図である。
【図１５】雨水防御装置の収納・持ち運び状態を示すもので、（ａ）はワンセットとなる枠組体、下側のカバーフィルム、操作具を並べた状態を示す斜視図、（ｂ）はこれらの部材を肩掛け用のショルダーバッグに収容して作業員が持ち運ぶ状態を示す側面図である。
【符号の説明】
【０１３６】
Ｐ…扉部
Ａ…側枠
Ｂ…側枠
Ｒ…接続手段
Ｓ…ショルダーバッグ
Ｆ…カバーフィルム
Ｆ１…下側カバーフィルム
Ｋ…滑り止め部材
Ｍ…マグネット部材
１…枠組体
２ａ…前側縦枠部
２ｂ…後側縦枠部
３…上側枠部
４…下側枠部
５…折り畳み部
６…折込枠
６ａ…折込棒
６ｂ…折込棒
７…ヒンジ部
８…突っ掛け枠
９…フック部
１０…支軸部
１１…脚部
１２…支軸部
１３…アーム部
１４…孔部
１５…受部
１６…突起
１７…枠材
１８…筒部
１９…操作用棒材
２０…操作具
２１…補強枠
２２…板材
【図１】
2008228404.tif 000003
【図２】
2008228404.tif 000004
【図３】
2008228404.tif 000005
【図４】
2008228404.tif 000006
【図５】
2008228404.tif 000007
【図６】
2008228404.tif 000008
【図７】
2008228404.tif 000009
【図８】
2008228404.tif 000010
【図９】
2008228404.tif 000011
【図１０】
2008228404.tif 000012
【図１１】
2008228404.tif 000013
【図１２】
2008228404.tif 000014
【図１３】
2008228404.tif 000015
【図１４】
2008228404.tif 000016
【図１５】
2008228404.tif 000017